(57)【特許請求の範囲】
【請求項１】
患者の心臓活動を解析するシステムであって、
一回の心拍に対応する少なくとも一つの基本信号（１）を含む少なくとも一つの心臓電気信号を獲得する手段（２）と、
前記基本信号（１）から少なくとも一つの要素波（Ｐ、Ｑ、Ｒ、Ｓ、Ｔ）を抽出する手段であって、その一般的形状は
【数１】
0005912106.tif 000057
により表現され得、Φ（ｔ）は前記要素波（Ｐ、Ｑ、Ｒ、Ｓ、Ｔ）の位相である、手段と、
前記要素波（Ｐ、Ｑ、Ｒ、Ｓ、Ｔ）を解析する手段（９）とを備え、前記要素波（Ｐ、Ｑ、Ｒ、Ｓ、Ｔ）を解析する手段（９）は、
前記要素波（Ｐ、Ｑ、Ｒ、Ｓ、Ｔ）の位相Φの時間導関数
【数２】
0005912106.tif 000058
を決定する手段（９）と、
次の数式１３に基づいて
【数３】
0005912106.tif 000059
【数４】
0005912106.tif 000060
により定義されるｐｃｏｓn関数及びｐｓｉｎn関数から、前記要素波（Ｐ、Ｑ、Ｒ、Ｓ、Ｔ）の非調和性及びその形態を測定するパラメータａk、ｂk、ｒk、ｐkの関数として、前記要素波（Ｐ、Ｑ、Ｒ、Ｓ、Ｔ）の位相Φ（ｔ）の表現を決定する手段（９）とを備える、ことを特徴とするシステム。
【請求項２】
前記位相Φの時間導関数を
【数５】
0005912106.tif 000061
として表現する手段（９）を備え、［０，１］で変化するｒは、前記要素波（Ｐ、Ｑ、Ｒ、Ｓ、Ｔ）の非調和性を測定するパラメータであることを特徴とする、請求項１に記載の心臓活動を解析するシステム。
【請求項３】
前記要素波ｘ（ｔ）を、二つのパラメータｒ及びΦ0を用いて
【数６】
0005912106.tif 000062
として表現する手段（９）を備え、
【数７】
0005912106.tif 000063
及び
【数８】
0005912106.tif 000064
であり、前記ｈｓｉｎ関数及びｈｃｏｓ関数は、
【数９】
0005912106.tif 000065
及び
【数１０】
0005912106.tif 000066
により定義されることを特徴とする、請求項２に記載の心臓活動を解析するシステム。
【請求項４】
請求項１〜３のいずれか一項に記載の心臓活動を解析するシステムを備える心臓刺激装置。
【請求項５】
請求項１〜３のいずれか一項に記載の心臓活動を解析するシステムを備える心臓除細動器。
【発明の詳細な説明】
【技術分野】
【０００１】
本発明は、患者の心臓活動（cardiac activity）を解析する方法であって、一回の心拍に対応する少なくとも一つの基本信号（elementary signal）を含む少なくとも一つの心臓電気信号を獲得するステップと、基本信号から少なくとも一つの要素波（elementary wave）を抽出するステップであって、その一般的形状は
【数１】
0005912106.tif 000002
により表現され得、Φ（ｔ）は要素波の位相である、ステップと、要素波を解析するステップとを含む方法、及び対応する解析システムに関する。
【０００２】
本発明は、後者の、心臓の刺激装置（stimulator）及び除細動器（defibrillator）への適用にも関する。
【０００３】
特に、本発明は、心電図記録法（electrocardiography）の分野及び心電図（electrocardiogram）の解析に適用される。
【背景技術】
【０００４】
心電図は、体表に配置された電極により記録された心臓活動のグラフ表示である。従来の心電図記録法では、心臓の電気的活動（electric activity）は、一連の１２本のリード線（lead）から記録することにより検査される。各リード線は、体表の決定された二箇所に配置され、その間の電位差が記録される二つの電極を結合する電圧線に対応する。それにより記録された曲線は、心房筋（atrial muscle）及び心室筋（ventricular muscle）の脱分極（depolarization）及び再分極（repolarization）を示す。脱分極及び再分極は、各心周期（cardiac cycle）で準周期的（quasi-periodically）に繰り返される。
【０００５】
リード線の各々は、以後ＥＣＧ信号と呼ばれる、各リング（ring）が一定時間毎に繰り返される完全な心周期を示す一連の基本信号又はＰＱＲＳＴ複合波（complex）を含む信号に対応する。
【０００６】
そのような基本信号は、安静時の心臓（resting heart）に対応する所謂「等電位（isoelectric）」線の両側の、一連の正又は負の要素波からなる。これらの正又は負の波は、明確に定義された生理学的過程（physiological process）に起因し、一般に標準ラベルＰ、Ｑ、Ｒ、Ｓ、及びＴにより識別される。波Ｐは心房（atrium）の脱分極の間に生成され、ＱＲＳ複合波は心室（ventricle）の脱分極を示し、Ｔ波はこの心室の再分極の間に生成される。
【０００７】
基本信号及びその変動を解析することにより、可能性のある心臓異常（heart abnormality）が検出され得る。この解析は、単に信号の紙グラフ（paper plot）を読むことにより長い間行われたが、一般に二つのＲ波の間隔から決定される心拍数の測定と、大きさ及び期間の測定と、Ｐ波、ＱＲＳ複合波、Ｔ波、ＰＲ間隔、ＳＴ区分（segment）、及びＱＴ間隔の形態（morphology）の検査とを含む。
【０００８】
信号処理技術は、ＥＣＧ信号の自動解析を行う可能性を与え、医者が診断を行い得る統合結果（synthetic result）を提供する。この自動解析は、一般にＥＣＧ信号を各々がＰＱＲＳＴ複合波を含む基本信号に分解し、これらの基本信号の各々を要素波（Ｐ波、Ｑ波、Ｒ波、Ｓ波、及びＴ波）に分解し、各要素波を解析し、これらの波をいくつかのパラメータにより特性付けることにより行われる。これらのパラメータ及びその経時変化（time-dependent change）の統合（synthesis）が最後に行われ、可能性のある異常を検出する可能性を与える。
【発明の概要】
【発明が解決しようとする課題】
【０００９】
ＥＣＧ信号を解析及び特性付ける多くの方法が提案されている。特に、信号の周波数解析は、この信号がフーリエ空間（Fourier space）で説明されることを可能とする。フーリエ分解（Fourier decomposition）は、実際は、周波数ｆの周期信号を、Ｆの倍数であり、フーリエ係数（Fourier coefficient）で重み付けされた周波数を有するシヌソイド関数（sinusoidal function）の無限和（infinite sum）に分解することにある。これらのフーリエ係数は、解析された信号の符号化（coding）を形成するものであり、この信号の特性（characteristic）パラメータである。特に、保持されるフーリエ係数の数は限られており、フーリエ分解の最初の項（term）のみが保持される。しかしながら、これらの項は、符号化から統合された信号が元の信号にできる限り近似するように、十分な数であるべきである。
【００１０】
ここで、ＥＣＧ信号は、強非調和信号（strongly anharmonic signal）、即ち非線形信号であり、この信号のフーリエ分解は、物理的意味を与えるのが難しい多数の係数が保持されることを必要とする。さらに、この分解は、信号の周波数成分の分布（distribution）の説明を可能とする場合に、後者が起こる時点の情報を決して与えず、信号の異なる波（Ｐ波、ＱＲＳ複合波、Ｔ波、…）及びその形状の特性付けを可能としない。
【００１１】
この欠点は、得られたＥＣＧ信号をウェーブレット（wavelet）又はガウス波（Gaussian wave）の和に分解してモデル化することにより克服され得る。しかしながら、この方法も、モデル化が十分な質であるためには、非常に多数のパラメータの決定を必要とする。さらに、Ｐ波及びＴ波は、ガウス波に吸収され難く、一般に不十分にモデル化される。
【００１２】
さらに、文献「心電図信号を生成する動的モデル」（ＭｃＳｈａｒｒｙ  ｅｔ  ａｌ．，ＩＥＥＥ  Ｔｒａｎｓａｃｔｉｏｎｓ  ｏｎ  Ｂｉｏｍｅｄｉｃａｌ  Ｅｎｇｉｎｅｅｒｉｎｇ，５０（３）：２８９−２９４，Ｍａｒｃｈ  ２００３）から、ＥＣＧ信号をモデル化する方法が知られている。その方法は、心拍数の平均及び標準偏差等の統計パラメータと、特にＰＱＲＳＴ複合波の形態に関する形態パラメータとからＥＣＧ信号が生成されることを可能とする。
【００１３】
しかしながら、この方法は、ＥＣＧ信号の直接解析を可能としない。さらに、この方法は、複雑な計算に基づくものであり、各固定のパラメータ一組に対して、完全な数値積分法（numerical integration）が行われることを必要とする。
【００１４】
したがって、本発明の目的は、フーリエ級数（Fourier series）による解析又はウェーブレット若しくはガウス波への分解に必要とされるパラメータの数に比べて少数であり、物理的意味を有すると共に、信号の形状の単純かつ明示的な特徴（signature）を形成するパラメータを用いて、心臓活動信号の波形の解析を可能とすることである。
【課題を解決するための手段】
【００１５】
このために、本発明の目的は、上述の型の解析方法であって、要素波の解析が、
要素波の位相方程式（phase equation）
【数２】
0005912106.tif 000003
の表現を決定するステップと、
【数３】
0005912106.tif 000004
及び
【数４】
0005912106.tif 000005
により定義されるｐｃｏｓn関数及びｐｓｉｎn関数から、要素波の非調和性（anharmonicity）及びその形態を測定するパラメータによる要素波の位相Φ（ｔ）の表現を決定するステップとを含む、ことを特徴とする方法である。
【００１６】
本発明による方法は、別々に又は組み合わせて取り込まれる次の特徴も有する。
−位相方程式は、
【数５】
0005912106.tif 000006
として表現される。ここで、［０，１］で変化するｒは、要素波の非調和性を測定するパラメータである。
−要素波は、二つのパラメータｒ及びΦ0を用いて、
【数６】
0005912106.tif 000007
として表現される。ここで、
【数７】
0005912106.tif 000008
及び
【数８】
0005912106.tif 000009
であり、ｈｓｉｎ関数及びｈｃｏｓ関数は、
【数９】
0005912106.tif 000010
及び
【数１０】
0005912106.tif 000011
により定義される。
−位相方程式は、
【数１１】
0005912106.tif 000012
として表現される。ここで、Ｐ（Φ）及びＱ（Φ）は、三角多項式である。
−位相Φ（ｔ）の表現は、
【数１２】
0005912106.tif 000013
として決定される。ここで、ｐｓｉｎ1関数及びｐｃｏｓ1関数は、
【数１３】
0005912106.tif 000014
及び
【数１４】
0005912106.tif 000015
により定義される。
【００１７】
これにより達成される本発明による方法は、最新技術による分解方法と比べて、ＥＣＧ信号の解析及び少数のパラメータを用いた信号の特性付けを可能とする。さらに、これらのパラメータは、物理的意味を有するものであり、ＰＱＲＳＴ複合波の波形の特性である。
【００１８】
別の態様によれば、本発明の目的は、患者の心臓活動を解析するシステムであって、一回の心拍に対応する少なくとも一つの基本信号を含む少なくとも一つの電気心臓信号を獲得する手段と、基本信号から少なくとも一つの要素波を抽出する手段であって、その一般的形状は
【数１５】
0005912106.tif 000016
として表現され得、Φ（ｔ）は要素波の位相である、手段と、要素波を解析する手段とを備え、要素波を解析する手段は、
要素波の位相方程式
【数１６】
0005912106.tif 000017
の表現を決定する手段と、
【数１７】
0005912106.tif 000018
及び
【数１８】
0005912106.tif 000019
により定義されるｐｃｏｓn関数及びｐｓｉｎn関数から、要素波の非調和性及びその形態を測定するパラメータによる要素波の位相Φ（ｔ）の表現を決定する手段とを備える、ことを特徴とするシステムである。
【００１９】
本発明によるシステムは、別々に又は組み合わせて取り込まれる次の特徴も有する。
−解析システムは、位相方程式を
【数１９】
0005912106.tif 000020
として表現する手段を備える。ここで、［０，１］で変化するｒは、要素波の非調和性を測定するパラメータである。
−解析システムは、要素波を、二つのパラメータｒ及びΦ0を用いて
【数２０】
0005912106.tif 000021
として表現する手段を備える。ここで、
【数２１】
0005912106.tif 000022
及び
【数２２】
0005912106.tif 000023
であり、ｈｓｉｎ関数及びｈｃｏｓ関数は、
【数２３】
0005912106.tif 000024
及び
【数２４】
0005912106.tif 000025
により定義される。
−解析システムは、位相方程式を
【数２５】
0005912106.tif 000026
として表現する手段を備える。ここで、Ｐ（Φ）及びＱ（Φ）は、三角多項式である。
−解析システムは、位相Φ（ｔ）を
【数２６】
0005912106.tif 000027
として表現する手段を備える。ここで、ｐｓｉｎ1関数及びｐｃｏｓ1関数は、
【数２７】
0005912106.tif 000028
及び
【数２８】
0005912106.tif 000029
により定義される。
【００２０】
他の態様によれば、本発明の目的は、本発明による心臓活動を解析するシステムを備える心臓刺激装置、及び本発明による心臓活動を解析するシステムを備える心臓除細動器である。
【００２１】
本発明は、添付の図面を参照して説明される本発明の例示の実施形態を参照してより理解される。
【図面の簡単な説明】
【００２２】
【図１】ＥＣＧ信号のＰＱＲＳＴ複合波を示す。
【図２】本発明の実施形態によるシステムを概略的に示す。
【図３】本発明の実施形態による方法を示すブロック図である。
【発明を実施するための形態】
【００２３】
図１には、グラフが示される。そのグラフは、ＰＱＲＳＴ複合波を含むＥＣＧ信号の基本信号１の形状を示す。このグラフでは、時間が横軸に、電圧が縦軸に示される。一回の心拍の間に生成されたＰ波、ＱＲＳ複合波、及びＴ波が、このグラフで認識される。
【００２４】
心臓信号を獲得及び解析するシステムが図２に示される。
【００２５】
このシステムは、患者の体の異なる場所に配置される複数の測定電極２を備え、（ＥＣＧモニタとも呼ばれる）心電計（electrocardiographic monitor）３に接続される、ＥＣＧ信号を獲得する手段を備える。
【００２６】
このシステムは、アナログ／デジタル変換器７と、デジタル信号を解析する手段９、例えばプロセッサとを含む、ＥＣＧ信号を処理及び解析する手段５も備える。変換器７の入力は、ＥＣＧモニタ３の出力に接続され、プロセッサ９の入力は、変換器７の出力に接続される。
【００２７】
さらに、システムは、プロセッサ９の出力に接続されるモニタ１１を備える。
【００２８】
測定電極２は、患者の体に配置される場合に、心臓で生成された電気信号を受信できる。その大きさは、１ミリボルトのオーダである。一組の電極を用いて、複数の、一般に６本又は１２本のリード線から信号を受信することが可能である。
【００２９】
ＥＣＧモニタ３は、電極１による段階的獲得の間、横軸に例えば２５ｍｍ／ｓのスケールでの時間を、縦軸に例えば１ｃｍ／ｍＶのスケールでの電圧を表示する曲線として、ＥＣＧ信号を表示できる。これらの曲線は準周期的であり、各周期は一回の心拍に対応し、その形状は関連するリード線により変動する。このように、図１は、一回の心拍に対応する期間の、これらのリード線の一つからの信号の形状を示す。
【００３０】
モニタ３は、出力で、電極により検知されたＥＣＧ信号に対応するアナログ信号も提供できる。
【００３１】
アナログ／デジタル変換器７は、アナログＥＣＧ信号を、所定の標本化周波数、例えば２５６Ｈｚで標本化することによりデジタル化できる。
【００３２】
プロセッサ９は、デジタルＥＣＧ信号を選別し、この信号の形状及び心拍数の特性パラメータを抽出し、これらのパラメータの統合を生成するために、この信号を解析できる。
【００３３】
図３は、本発明の実施形態による、図２を参照して説明されたシステムを用いた、心臓活動信号の獲得及び解析を示すブロック図である。
【００３４】
最初の獲得ステップ２０では、心臓活動により生成された電気信号が、電極２により検知され、アナログ信号として、ＥＣＧモニタ３に送信される。ＥＣＧモニタ３は、その受信の間、段階的に、これらの信号を示すいくつかの曲線を表示する。この表示を用いて、施術者（practitioner）は、信号が適切に獲得されていることを確認することが特に可能である。
【００３５】
電極２により検知された信号は、例えば１２あり、これらの信号の各々は、特定のリード線に対応する。本発明による方法を用いて、これらのリード線の各々を解析することが可能であるが、これらのリード線の一つの解析のみが以降の説明で詳述される。このように、以降の説明では、「ＥＣＧ信号」は、これらのリード線の一つに関連付けられた信号を示す。
【００３６】
デジタル化ステップ２２では、ＥＣＧモニタ３は、アナログＥＣＧ信号をアナログ／デジタル変換器７に送信する。アナログ／デジタル変換器７は、この信号を標本化及び量子化によりデジタル化する。
【００３７】
ステップ２２の最後に得られたデジタルＥＣＧ信号は、プロセッサ９に送信される。プロセッサ９は、この信号を、それから特性パラメータを抽出するために解析する。
【００３８】
この信号は、一連の基本信号１からなり、その各々は、一回の心拍に対応し、ＰＱＲＳＴ複合波を形成する。しかしながら、この信号は、特に心拍数及びＱＲＳ複合波の形状の変動により、厳密には周期的でない。さらに、この信号は、心臓の唯一の電気的活動によるものではない。実際に、心筋（heart muscle）、特に呼吸筋（respiratory muscle）以外の筋肉の活動と、電気装置、例えばモニタ３及び１１の干渉とは、電極２により受信される高周波数及び低周波数の寄生信号（parasitic signal）を生成する。
【００３９】
このように、ステップ２５では、これらの寄生信号を抑制するために、デジタル選別がデジタルＥＣＧ信号に適用される。
【００４０】
ステップ２７では、選別されたＥＣＧ信号が、公知の方法を用いて、例えば一般にＰＱＲＳＴ複合波の最も詳細（finest）かつ広範（extensive）な波であるＲ波を検出することにより、その各々がＰＱＲＳＴ複合波を含む基本信号Ｙ（ｔ）に分解される。この分解の間に、心拍数及びその変動は、信号の一連のＰ波を分離する異なる時間間隔を計算することにより決定される。
【００４１】
プロセッサ９は、基本信号Ｙ（ｔ）の各々、特にＰＱＲＳＴ複合波の形態を解析する。
【００４２】
このために、各基本信号は、ステップ２９で解析され、その各々が基本信号Ｙ（ｔ）のＰ波、Ｑ波、Ｒ波、Ｓ波、又はＴ波に対応する要素波の和に分解される。
【００４３】
このように、各基本信号Ｙ（ｔ）は、
【数２９】
0005912106.tif 000030
により説明される。ここで、ｘP、ｘQ、ｘR、ｘS、及びｘTは、それぞれＰ波、Ｑ波、Ｒ波、Ｓ波、及びＴ波を示し、ｔP、ｔQ、ｔR、ｔS、及びｔTは、これらの波の時刻の起点、即ちこれらの波が基本信号内に現れる時点を示す。
【００４４】
要素波の各々は、ステップ３０で解析され、少数のパラメータにより特性付けられる。これらの波の各々の解析は、同じステップにより行われる。このように、以降の説明では、要素波は、その型にかかわらず、ｘ（ｔ）により示され、その時刻の起点は、ｔ＝０の時点が仮定される。
【００４５】
各要素波ｘ（ｔ）は、次の形式で説明され得る非調和信号である。
【数３０】
0005912106.tif 000031
ここで、すべての時間依存性は、位相関数（phase function）Φに含まれる。
【００４６】
この要素波ｘ（ｔ）は、局所的に測定された心拍数の周期である周期Ｔの周期信号と見なされる。以降の説明では、２πの正規化周期が考慮される。
【００４７】
非調和信号では、非調和性への主な寄与は、位相力学（phase dynamics）の対称性の破れ（breaking of symmetry）からもたらされる。このように、すべての関連する動的情報は、位相力学により表現される。したがって、波ｘ（ｔ）の解析の早期に、この位相Φ（ｔ）、特に関数Φの時間導関数（time derivative）である関数Ｆ
【数３１】
0005912106.tif 000032
により表現された位相力学は、検査されるべきである。
【００４８】
このように、波ｘ（ｔ）の形態は、Ｆを知ることにより完全に決定される。
【００４９】
したがって、本発明による方法の解析ステップ３０の間に、この関数Ｆは、非常に少数のパラメータを用いて説明されるはずである。少数のパラメータにより、同等の精度レベル（accuracy level）を有する、フーリエ級数を用いて同じ関数を分解するのに必要とされるパラメータの数に比べて減らされた数のパラメータが意味される。
【００５０】
このように、この解析ステップ３０は、位相Φ、特にΦの時間導関数である関数Ｆを表現することからなる最初のステップを含む。
【００５１】
最も単純な場合に、周期２πの波に対して、位相力学は、位相方程式と呼ばれる
【数３２】
0005912106.tif 000033
と書かれ得る。
【００５２】
この場合の関数Ｆは、軸Φ＝０に対して、鏡映対称（reflection symmetry）を有する。位相力学のこの表現は、区間［０，１］で変化する一つのパラメータｒのみを含む。下限ｒ＝０は調和波（harmonic wave）に対応し、上限ｒ＝１は無限非調和波（infinitely anharmonic wave）に対応する。
【００５３】
【数３３】
0005912106.tif 000034
と書かれ得る波ｘ（ｔ）（ここで、Φ0は位相の起点）は、分解され、パラメータｒ及びΦ0を含む形式に書き換えられる。
【数３４】
0005912106.tif 000035
ここで、
【数３５】
0005912106.tif 000036
及び
【数３６】
0005912106.tif 000037
であり、次のｈｃｏｓ関数及びｈｓｉｎ関数が定義される。
【数３７】
0005912106.tif 000038
【数３８】
0005912106.tif 000039
【００５４】
このように、波ｘ（ｔ）の分解は、二つのパラメータｒ及びΦ0のみを含む。
【００５５】
非調和性パラメータと呼ばれるｒは、波の非調和性度合いを測定する。下限ｒ＝０は調和波に対応し、上限ｒ＝１は無限非調和波に対応する。さらに、関数ｈｃｏｓ及びｈｓｉｎの両方での波の合成を定義するパラメータΦ0は、形態パラメータであり、位相力学の鏡映対称の角度に対応する。
【００５６】
一般的な場合に、即ち任意の周期波に対して、位相方程式は、
【数３９】
0005912106.tif 000040
と書かれ得る。ここで、Ｐn及びＱmは、それぞれ次数ｎ及びｍの三角多項式である。次数ｎの三角多項式の一般的形状は、
【数４０】
0005912106.tif 000041
である。
【００５７】
したがって、波ｘ（ｔ）の解析は、少数のパラメータを含むΦの表現の決定を含み、これらのパラメータにより、波ｘ（ｔ）の表現の決定を可能とする。
【００５８】
有利には、位相方程式（２）は、
【数４１】
0005912106.tif 000042
と書き換えられ得る。
【００５９】
多項式Ｐn（Φ）を因数分解することにより、
【数４２】
0005912106.tif 000043
を単純な項の和に変換することが可能であり、位相方程式が
【数４３】
0005912106.tif 000044
と書き換えられることを可能とする。ここで、０及び１の間に含まれるパラメータｒkは波ｘ（ｔ）の非調和性を測定し、パラメータｐkはその形態を特性付ける。
【００６０】
波の周期Ｔは、この方程式を、Φについて０及び２πの間で積分することにより決定され得る。
【数４４】
0005912106.tif 000045
【００６１】
この結果と、周期が２πに等しく、係数ｒkがすべて０である場合に波が調和であるという制約とから、位相方程式は、次の方法で表現され得る。
【数４５】
0005912106.tif 000046
ここで、関数Ｄkは、
【数４６】
0005912106.tif 000047
により定義され、
【数４７】
0005912106.tif 000048
を検証する。ｐｃｏｓn及びｐｓｉｎnと書かれ、
【数４８】
0005912106.tif 000049
【数４９】
0005912106.tif 000050
により表現され、とりわけ次の特性（property）
【数５０】
0005912106.tif 000051
【数５１】
0005912106.tif 000052
【数５２】
0005912106.tif 000053
【数５３】
0005912106.tif 000054
を有するｐｏｌｙｃｏｓ関数及びｐｏｌｙｓｉｎ関数の定義は、位相方程式が
【数５４】
0005912106.tif 000055
と書き換えられることを可能とする。この方程式を解くことにより、
【数５５】
0005912106.tif 000056
により表現されるｔ（Φ）の解析的表現にアクセスすることが可能である。
【００６２】
したがって、明確に定義された独立のパラメータを用いて、時刻ｔは位相Φの関数として表現され、双対的に、位相Φは時刻ｔの関数として表現される。そのパラメータは、非調和性（パラメータｒ又はｒk）及び形態（パラメータΦ0又はｐk）を測定する。
【００６３】
このように、解析ステップ３０の間に、プロセッサ９は、少数のパラメータを用いて各要素波ｘ（ｔ）を符号化する。一実施形態によれば、各要素波ｘ（ｔ）は、大きさ、調和性ｒ、及び形態Φ0により、ほぼ正確に説明される。別の実施形態によれば、各要素波ｘ（ｔ）は、それぞれの重み（weight）で完成する二組のパラメータ（ｒ1、ｐ1）及び（ｒ2、ｐ2）により、より正確に説明される。
【００６４】
したがって、要素波の各々、それ故にＥＣＧ信号のＰＱＲＳＴ複合波の各々は、限られた数のパラメータにより特性付けられ、非線形性及びこれらの複合波の形態を代表するため、物理的意味を有する。
【００６５】
ステップ３２では、プロセッサ９は、ステップ２７及び２９の間に決定されたＥＣＧ信号のパラメータ、即ち心拍数、調和性、及び形態のパラメータを、特にＥＣＧ信号全体でのこれらのパラメータの各々の平均及び標準偏差を決定することにより統合する。これらの値は、施術者により又は自動的にモニタ１１に表示され、これらの値を特定の心臓異常に対応する表形式の値と比較することにより、診断の基礎として用いられ得る。
【００６６】
このように、本発明による方法を用いて、心臓活動を解析し、心臓活動により生成された電気信号から、これらの信号の波形の小型かつ関連の表現を可能とする限られた数のパラメータを抽出することが可能である。
【００６７】
しかしながら、上記の例示の実施形態には限定されないことを理解すべきである。
【００６８】
特に、別の実施形態によれば、心臓活動信号は、腔内プローブ（endocavitary probe）に配置された電極により収集された電気記録図（electrogram）である。
【００６９】
このように、本発明によるシステム及び方法は、埋め込み型の刺激装置又は除細動器に適用され得、本発明による心臓活動信号の連続的解析であり、潜在異常の自動検出及び心臓の刺激の誘発を可能とする。
【００７０】
勿論、他の実施形態も想定され得る。
【図１】
0005912106.tif 000067
【図２】
0005912106.tif 000068
【図３】
0005912106.tif 000069